(57)【要約】【課題】  筆記中に選択した他の筆記色のボールペン芯体のノック操作部を、本体軸を持ち替えることなく容易に操作することができるようにしたボールペンを提供する。【解決手段】  本体軸３内に収容された複数の異なる筆記色のボールペン芯体４の後端に、操作部材５を取り付けるとともに、選択したボールペン芯体４における操作部材５のノック操作部１４をノックすることにより、ボールペン芯体４における前端のチップ部１６が、本体軸３の前端に取り付けた口先部２の前端開口２ａから出没しうるようにする。ノック操作部１４を、筆記時における本体軸３の握持状態のままでの指先によるノック操作が可能な操作範囲Ｗに設ける。【選択図】    図１
2009196316.tif 000002
【特許請求の範囲】
【請求項１】
本体軸内に収容された複数の異なる筆記色のボールペン芯体の後端に、操作部材をそれぞれ取り付けるとともに、選択したボールペン芯体における操作部材のノック操作部をノックすることにより、ボールペン芯体における前端のチップ部が、本体軸の前端に取り付けた口先部の前端開口から出没しうるようにしたボールペンにおいて、
ノック操作部を、筆記時における本体軸の握持状態のままでの指先によるノック操作が可能な操作範囲に設けたことを特徴とするボールペン。
【請求項２】
操作部材に、本体軸の軸線方向にスライド可能に設けた操作杆を連結するとともに、操作杆の遊端部を前記操作範囲まで前方に延出し、その遊端部にノック操作部を設けた請求項１記載のボールペン。
【請求項３】
操作杆を、本体軸の外周面または内周面に設けたガイド部材によって、本体軸の軸線方向にスライド可能に案内しうるようにした請求項２記載のボールペン。
【請求項４】
操作杆の連結基部に係合溝を形成するとともに、この係合溝を、ガイド部材に本体軸の軸線方向に形成したスライド孔に係合させて、操作杆をスライド可能に案内しうるようにした請求項２または３記載のボールペン。
【請求項５】
操作部材と操作杆との互いの連結基部を、操作部材が操作杆に対して相対的に本体軸の軸心方向に向けて移動可能に連結するとともに、それらの間に、操作部材を本体軸の軸心に向けて付勢する圧縮ばねを介装した請求項２〜４のいずれかに記載のボールペン。
【請求項６】
操作部材の連結基部に、本体軸の軸心方向に向けて係合孔を貫設するとともに、この係合孔に、操作杆の連結基部に本体軸の軸心方向に向けて突設した係止ピンを遊嵌状態で挿入して、操作部材と操作杆とを互いに連結した請求項５記載のボールペン。
【発明の詳細な説明】
【技術分野】
【０００１】
本発明は、異なる筆記色からなる複数のボールペン芯体の出没をそれぞれ操作するためのノック操作部を備えるボールペンに関する。
【背景技術】
【０００２】
従来、本体軸内に、異なる筆記色、たとえば黒と赤、青その他、適宜の色のボールペン芯体を収容した多色式のボールペンが広く用いられている（たとえば特許文献１参照）。
【０００３】
このようなボールペンは、本体軸内に収容された複数のボールペン芯体の後端に、操作部材をそれぞれ取り付けるとともに、これら各操作部材のノック操作部を、本体軸の周壁に各ボールペン芯体毎に設けたスライド孔から外部にそれぞれ露出させ、複数の異なる筆記色の中から選択したボールペン芯体のノック操作部を、指先でノックして軸線方向にスライドさせることによって、選択したボールペン芯体における前端のチップ部を、本体軸の前端に取り付けた口先部の前端開口から出没させるようになっている。
【０００４】
しかし、各ボールペン芯体のノック操作部は、いずれも筆記時における本体軸の握持状態において、指先から遠い本体軸の後端に設けられているため、筆記中に、他の筆記色のボールペン芯体を選択して切り替える場合に、一旦、本体軸を持ち替える必要があるという問題があった。
【特許文献１】特開２００１−１２１８８２号公報
【発明の開示】
【発明が解決しようとする課題】
【０００５】
本発明は、前記した現状に鑑み、筆記中に選択した他の筆記色のボールペン芯体のノック操作部を、本体軸を持ち替えることなく容易に操作することができるようにしたボールペンを提供することを目的とする。
【課題を解決するための手段】
【０００６】
上記課題は、特許請求の範囲における各請求項に示すように、下記の構成を備える発明によって解決される。
（１）  本体軸内に収容された複数の異なる筆記色のボールペン芯体の後端に、操作部材をそれぞれ取り付けるとともに、選択したボールペン芯体における操作部材のノック操作部をノックすることにより、ボールペン芯体における前端のチップ部が、本体軸の前端に取り付けた口先部の前端開口から出没しうるようにしたボールペンにおいて、
ノック操作部を、筆記時における本体軸の握持状態のままでの指先によるノック操作が可能な操作範囲に設けたことを特徴とするボールペン。
【０００７】
（２）  上記（１）項において、操作部材に、本体軸の軸線方向にスライド可能に設けた操作杆を連結するとともに、操作杆の遊端部を前記操作範囲まで前方に延出し、その遊端部にノック操作部を設ける。
【０００８】
（３）  上記（２）項において、操作杆を、本体軸の外周面または内周面に設けたガイド部材によって、本体軸の軸線方向にスライド可能に案内しうるようにする。
【０００９】
（４）  上記（２）項または（３）項において、操作杆の連結基部に係合溝を形成するとともに、この係合溝を、ガイド部材に本体軸の軸線方向に形成したスライド孔に係合させて、操作杆をスライド可能に案内しうるようにする。
【００１０】
（５）  上記（２）項において、操作部材と操作杆との互いの連結基部を、操作部材が操作杆に対して相対的に本体軸の軸心方向に向けて移動可能に連結するとともに、それらの間に、操作部材を本体軸の軸心に向けて付勢する圧縮ばねを介装する。
【００１１】
（６）  上記（５）項において、操作部材の連結基部に、本体軸の軸心方向に向けて係合孔を貫設するとともに、この係合孔に、操作杆の連結基部に本体軸の軸心方向に向けて突設した係止ピンを遊嵌状態で挿入して、操作部材と操作杆とを互いに連結する。
【発明の効果】
【００１２】
本発明によると、次のような効果が奏せられる。
請求項１記載の発明によれば、本体軸内に収容された各ボールペン芯体のノック操作部を、筆記時における本体軸の握持状態のままでの指先による操作が可能な操作範囲に設けてあるため、筆記中におけるボールペン芯体の操作時に、選択した他の筆記色のボールペン芯体のノック操作部を、本体軸を持ち替えることなく、指先によって容易に操作することができる。
【００１３】
請求項２記載の発明によれば、操作部材に、本体軸の軸線方向にスライド可能に設けた操作杆を連結するとともに、操作杆の遊端部を、筆記時における本体軸の握持状態での指先の操作範囲まで前方に延出し、かつその遊端部にノック操作部をそれぞれ設けてあるため、従来型の本体軸内における内部構造をそのまま使用することができ、製造コストを削減することができる。
【００１４】
請求項３記載の発明によれば、操作杆を、本体軸の外周面または内周面に設けたガイド部材によって、本体軸の軸線方向にスライド可能に案内しうるようにしてあるため、ノック操作部の操作時に、操作杆を安定してスライドさせることができる。
【００１５】
請求項４記載の発明によれば、操作杆の連結基部に係合溝を形成するとともに、この係合溝を、ガイド部材に本体軸の軸線方向に形成したスライド孔に係合させて、操作杆をスライド可能に案内しうるようにしてあるため、ノック操作部の操作時に、操作杆を安定してスライドさせることができる。
【００１６】
請求項５記載の発明によれば、操作部材と操作杆との互いの連結基部を、本体軸の軸心方向に向けて接離可能に連結するとともに、それらの間に、操作部材を本体軸の軸心に向けて付勢する圧縮ばねを介装してあるため、ノック操作時に、本体軸の軸心に向けて径方向に沈み込もうとする操作部材の動作に、操作杆が追従して沈み込むのを防止することができるとともに、互いのがたつきを抑えることができ、円滑な切替え操作を行うことができる。
【００１７】
請求項６記載の発明によれば、操作部材の連結基部に、本体軸の軸心方向に向けて係合孔を貫設するとともに、この係合孔に、操作杆の連結基部に本体軸の軸心方向に向けて突設した係止ピンを遊嵌状態で挿入して、操作部材と操作杆とを互いに連結してあるため、ノック操作時に、操作部材が本体軸の軸心に向けて径方向に沈み込んでも、その影響をノック操作杆に伝達することがなく、円滑な切替え操作を行うことができる。
【発明を実施するための最良の形態】
【００１８】
以下、本発明の実施形態を図面に基づいて説明する。
図１は、本発明の一実施形態におけるボールペンの筆記中の握持状態を示す側面図、図２は、同じく、ボールペンの縦断面図、図３は、図２におけるIII−III線の拡大縦断面図、図４は、選択した他の筆記色のボールペン芯体の切替え操作状態を縦断面図である。
【００１９】
図１および図２に示すように、本発明のボールペン１は、前端に口先部２が取り付けられた本体軸３内に、異なる筆記色、例えば黒、赤のインクがそれぞれ貯留された左右２本のボールペン芯体４、４をそれぞれ収容することにより構成されている。
【００２０】
各ボールペン芯体４の後端４ａには、操作部材５が、それぞれ取り付けられているとともに、これらの各操作部材５は、ボールペン芯体４に巻回されたコイルばね６により、後方（図２においては上方）に向けて付勢されている。
【００２１】
各操作部材５の後端部５ａには、本体軸３の外周面に軸線方向に沿って設けた操作杆７の後端部７ａがそれぞれ連結されているとともに、操作部材５の連結基部には、本体軸３の軸心方向に向けて係合孔８が貫設され、また操作杆７の連結基部には、本体軸３の軸心方向に向けて係止ピン９が突設されている。
【００２２】
この係止ピン９は、前記係合孔８に遊嵌状態で挿入することにより、操作部材５と操作杆７とが互いに連結されるとともに、操作部材５が操作杆７に対して相対的に本体軸３の軸心方向に向けて移動可能になるようにしている。
【００２３】
操作部材５と操作杆７との互いの連結基部の間には、コイルばねからなる圧縮ばね１０が介装されているとともに、この圧縮ばね１０は、操作部材５を本体軸３の軸心に向けて付勢しうるようになっている。
【００２４】
各操作杆７は、本体軸３の外周面に軸線方向に沿って設けた断面コ字形のガイド部材１１に支持させてなるとともに、ガイド部材１１の後端部には、本体軸３の軸線方向に沿ってスライド孔１２が形成され、このスライド孔１２に、図３に示すように、操作杆７の連結基部に形成した係合溝１３を係合させることにより、操作杆７がスライド可能に案内されるようになっている。
これにより、操作杆７は、操作部材５が圧縮ばね１０によって本体軸３の軸心に向けて付勢された状態で、ガイド部材１１のスライド孔１２にスライド自在に係合されるようになっている。
【００２５】
各操作杆７は、図１に示す筆記時における本体軸３の握持状態において、そのまま指先で操作することが可能な操作範囲Ｗまで前方に延出させてなるとともに、それらの各遊端部７ｂには、突起状のノック操作部１４がそれぞれ設けられている。
この場合、指先による操作可能な操作範囲Ｗとは、筆記時に、本体軸３を握持した際に、たとえば本体軸３を人差し指と中指とで支えながら、親指を離した時に、本体軸３を握持している親指の位置から、親指を本体軸３の前後方向に向けて自由に動かすことができる範囲、好ましくは後方に向けて約２〜３ｃｍ程度の範囲をいう。
【００２６】
ノック操作部１４は、図１および図２に仮想線でそれぞれ示すように、筆記時における本体軸３の握持状態において、そのまま指先で、本体軸３の軸線方向に操作可能になっている。
【００２７】
すなわち、ノック操作部１４をノックして、ボールペン芯体４の芯出しを行うと、図４に示す状態となり、操作部材５は、図２の仮想線で示すように、本体軸３の軸心に向けて沈むが、操作杆７の後端部７ａにおける連結基部は、ガイド部材１１のスライド孔１２に係合溝１３を係止させているため、本体軸３の軸心に向けて径方向に沈み込むことはない。
【００２８】
また、各ボールペン芯体４に取り付けた操作部材５、５は、図２に示すように、不使用状態において、互いの係止解除突起１５Ａ、１５Ｂが、圧縮ばね１０の付勢力により、弾性的に当接されて対向しうるようになっている。
これらの係止解除突起１５Ａ、１５Ｂは、図４に示すように、一方側の操作部材５のノック操作部１４をノックして、一方のボールペン芯体４を前方に向けて芯出しした際の、芯出し状態が維持されるように、前後にずれて互いに係止されるとともに、芯出しされない他方側の操作部材５の半ノックによる操作によって、芯出し状態が解除され、図２に示す状態に復帰しうるようになっている。
【００２９】
本実施形態のボールペン１は、使用時、所望の筆記色のボールペン芯体４におけるノック操作部１４を、コイルばね６の付勢力に抗し、前方（図２においては下方）に向けて押し下げることにより、ボールペン芯体４のチップ部１６を、本体軸３の前端における口先部２の前端開口２ａから外部に突出させることにより、筆記が可能になる。
【００３０】
使用後においては、他の筆記色のボールペン芯体４におけるノック操作部１４を、僅かに押し下げることにより、コイルばね６による後方向き（図４においては上向き）の付勢力により、ボールペン芯体４を、本体軸３内に自動的に戻すようになっている。
【００３１】
また、筆記中において、芯出し状態にある筆記色のボールペン芯体４を、他の筆記色のボールペン芯体４に選択的に切替えるには、他の筆記色のボールペン芯体４のノック操作部１４をノックすることにより行われる。
【００３２】
なお、上記実施形態においては、操作杆７を、本体軸３の外周面に軸線方向に設けたガイド部材１１によって、本体軸３の軸線方向にスライド可能に案内しうるようにしたが、ガイド部材１１を本体軸３の内周面に設けたり、あるいはガイド部材１１に代えて、本体軸３の内周面にガイド溝を設けて、操作杆７を案内しうるようにしてもよい。
この場合、操作杆７の遊端部７ａに設けられるノック操作部１４は、本体軸３の外周面の操作範囲Ｗにおいて、外部に露出させることにより、筆記時に本体軸３を握持する指先でもって操作が可能になるようにする。
また、操作杆７を、本体軸３の軸線方向にスライド可能に案内するために、前記したガイド手段を別途に設けることなく、ノック操作で作動するボールペン芯体４における繰出機構の構成部材を利用することも可能である。
【図面の簡単な説明】
【００３３】
【図１】本発明の一実施形態におけるボールペンの筆記中の握持状態を示す側面図である。
【図２】同じく、ボールペンの縦断面図である。
【図３】図２におけるIII−III線の拡大縦断面図である。
【図４】筆記中の握持状態を示す側面図である。
【符号の説明】
【００３４】
１    ボールペン
２    口先部
２ａ  前端開口
３    本体軸
４    ボールペン芯体
４ａ  後端
５    操作部材
５ａ  後端部（連結基部）
６    コイルばね
７    操作杆
７ａ  後端部（連結基部）
７ｂ  遊端部
８    係合孔
９    係止ピン
１０  圧縮ばね
１１  ガイド部材
１２  スライド孔
１３  係合溝
１４  ノック操作部
１５Ａ  係止解除突起
１５Ｂ  係止解除突起
１６  チップ部
Ｗ    操作範囲
【図１】
2009196316.tif 000003
【図２】
2009196316.tif 000004
【図３】
2009196316.tif 000005
【図４】
2009196316.tif 000006